(57)【要約】【課題】ユーザーの利便を向上する。【解決手段】画像形成装置１００は、制御部５を備える。制御部５は、プロセッサー５Ａ及び記憶部５Ｂを備える。プロセッサー５Ａは、読取部５０１、記憶実行部５０２、決定部５０３、受信部５０４及び送信部５０５を備える。読取部５０１は、原稿Ｒに形成された画像を読み取り、第１画像情報ＭＪ１を生成する。記憶実行部５０２は、第１画像情報ＭＪ１を記憶部５Ｂに記憶する。決定部５０３は、第１画像情報ＭＪ１を識別する送信要求コードＤＣを決定する。受信部５０４は、パーソナルコンピューター２００から送信要求コードＤＣを受信する。送信部５０５は、送信要求コードＤＣを受信部５０４が受信した場合に、第１画像情報ＭＪ１をパーソナルコンピューター２００に送信する。【選択図】図４
2019012882.tif 000002
【特許請求の範囲】
【請求項１】
記憶部と、
原稿に形成された画像を読み取り、第１画像情報を生成する読取部と、
前記第１画像情報を前記記憶部に記憶する記憶実行部と、
前記第１画像情報を識別する識別情報を決定する決定部と、
端末装置から前記識別情報を受信する受信部と、
前記識別情報を前記受信部が受信した場合に、前記第１画像情報を前記端末装置に送信する送信部と
を備える、画像読取装置。
【請求項２】
前記第１画像情報を前記記憶部から消去する消去部を更に備え
前記決定部は、前記第１画像情報を送信可能な最大回数を示す送信可能回数を決定し、
前記消去部は、前記第１画像情報を前記端末装置に送信した回数が前記送信可能回数に到達した場合に、前記第１画像情報を前記記憶部から消去する、請求項１に記載の画像読取装置。
【請求項３】
前記決定部は、前記第１画像情報を前記記憶部に記憶している最長期間を示す保持期間を決定し、
前記消去部は、前記第１画像情報を前記記憶部に記憶している期間が前記保持期間に到達した場合に、前記第１画像情報を前記記憶部から消去する、請求項２に記載の画像読取装置。
【請求項４】
前記送信可能回数、及び前記保持期間の少なくとも一方を変更する変更部を更に備える、請求項３に記載の画像読取装置。
【請求項５】
前記記憶実行部が前記第１画像情報を前記記憶部に記憶する前に、前記第１画像情報と、前記記憶部に記憶されている第２画像情報との重複度を検出する検出部と、
前記重複度が閾値以上であるか否かを判定する第１判定部と、
前記重複度が閾値以上であると前記第１判定部が判定した場合に、前記第１画像情報を前記記憶部に記憶するか否かを判定する第２判定部と
を更に備え、
前記第２判定部が、前記第１画像情報を前記記憶部に記憶しないと判定した場合に、前記変更部は、前記送信可能回数及び前記保持期間の少なくとも一方を変更する、請求項４に記載の画像読取装置。
【請求項６】
前記重複度が閾値以上であると前記第１判定部が判定した場合に、前記第２画像情報を表示する表示部を更に備え、
前記第２判定部は、ユーザーからの指示に基づき、前記第１画像情報を前記記憶部に記憶するか否かを判定する、請求項５に記載の画像読取装置。
【請求項７】
前記変更部及び前記表示部の少なくとも一方の動作を規制する規制部を更に備える、請求項６に記載の画像読取装置。
【請求項８】
記憶部と、
原稿に形成された画像を読み取り、第１画像情報を生成する読取部と、
前記第１画像情報を前記記憶部に記憶する記憶実行部と、
前記第１画像情報を識別する識別情報を決定する決定部と、
端末装置から前記識別情報を受信する受信部と、
前記識別情報を前記受信部が受信した場合に、前記第１画像情報を前記端末装置に送信する送信部と、
記録媒体に画像を形成する画像形成部と
を備える、画像形成装置。
【発明の詳細な説明】
【技術分野】
【０００１】
本発明は、画像読取装置、及び画像形成装置に関する。
【背景技術】
【０００２】
特許文献１に記載の画像処理装置は、スキャン処理を実施し画像データを生成したことを示す第１情報を、複数の情報処理装置の各々へ送信する。そして、特定情報処理装置から、画像データの送信を指示する第２情報を受信することに応じて、画像処理装置は、画像データを特定情報処理装置へ送信する。なお、特定情報処理装置は、複数の情報処理装置のうち１つの情報処理装置を示す。更に、画像データが特定情報処理装置へ送信されたことを示す第３情報を、複数の情報処理装置のうち特定情報処理装置以外の情報処理装置へ送信する。
【先行技術文献】
【特許文献】
【０００３】
【特許文献１】特開２０１６−６３２５８号公報
【発明の概要】
【発明が解決しようとする課題】
【０００４】
特許文献１に記載の画像形成装置によれば、情報処理装置が、そのユーザーにとって不要な情報（例えば、第１情報、又は第３情報）を受信する可能性がある。例えば、ユーザーが画像データの取得を所望しない場合には、第１情報、及び第３情報は、ユーザーにとって不要な情報である。その結果、ユーザーの利便性が低下する可能性がある。
【０００５】
本発明は、上記課題に鑑みてなされたものであり、ユーザーの利便性を向上することが可能な画像読取装置、及び画像形成装置を提供することを目的としている。
【課題を解決するための手段】
【０００６】
本発明の画像読取装置は、記憶部、読取部、記憶実行部、決定部、受信部、及び送信部を備える。前記読取部は、原稿に形成された画像を読み取り、第１画像情報を生成する。前記記憶実行部は、前記第１画像情報を前記記憶部に記憶する。前記決定部は、前記第１画像情報を識別する識別情報を決定する。前記受信部は、端末装置から前記識別情報を受信する。前記送信部は、前記識別情報を前記受信部が受信した場合に、前記第１画像情報を前記端末装置に送信する。
【０００７】
本発明の画像形成装置は、記憶部、読取部、記憶実行部、決定部、受信部、送信部、及び画像形成部を備える。前記読取部は、原稿に形成された画像を読み取り、第１画像情報を生成する。前記記憶実行部は、前記第１画像情報を前記記憶部に記憶する。前記決定部は、前記第１画像情報を識別する識別情報を決定する。前記受信部は、端末装置から前記識別情報を受信する。前記送信部は、前記識別情報を前記受信部が受信した場合に、前記第１画像情報を前記端末装置に送信する。画像形成部は、記録媒体に画像を形成する。
【発明の効果】
【０００８】
本発明の画像読取装置、及び画像形成装置によれば、ユーザーの利便性を向上できる。
【図面の簡単な説明】
【０００９】
【図１】本発明の実施形態に係る画像形成装置の接続状態を示す図である。
【図２】本発明の実施形態に係る画像形成装置の構成を示す図である。
【図３】本発明の実施形態に係る制御部の構成を示す図である。
【図４】制御部の詳細な構成を示す図である。
【図５】送信要求コード設定画面を示す画面図である。図５（ａ）は、送信要求コードを制御部が設定する場合の送信要求コード設定画面を示す画面図である。図５（ｂ）は、送信要求コードをユーザーが設定する場合の送信要求コード設定画面を示す画面図である。
【図６】回数期間設定画面を示す画面図である。
【図７】送信要求画面を示す画面図である。
【図８】制御部の更に詳細な構成を示す図である。
【図９】回数期間変更画面を示す画面図である。
【図１０】制御部の処理の一例を示すフローチャートである。
【図１１】制御部の処理の一例を示すフローチャートである。
【図１２】制御部の回数期間変更処理の一例を示すフローチャートである。
【発明を実施するための形態】
【００１０】
以下、本発明の実施形態について、図面（図１〜図１２）を参照しながら説明する。なお、図中、同一又は相当部分については同一の参照符号を付して説明を繰り返さない。
【００１１】
まず、図１を参照して、本発明の実施形態に係る画像形成装置１００の接続状態について説明する。図１に示すように、画像形成装置１００は、ネットワーク３００を介して、複数台のパーソナルコンピューター（ＰＣ）２００と通信可能に接続される。
【００１２】
画像形成装置１００は、いわゆる、複合機であって、通信機能を有する。画像形成装置１００は、ネットワーク３００を介して、パーソナルコンピューター２００との間で画像情報の送受信を行う。画像形成装置１００は、画像形成装置１０１、画像形成装置１０２及び画像形成装置１０３を含む。画像形成装置１０１、画像形成装置１０２及び画像形成装置１０３は、実質的に同一の構成を有するため、以下の説明において画像形成装置１００と総称する場合がある。
【００１３】
パーソナルコンピューター２００は、通信機能を有する。パーソナルコンピューター２００は、「端末装置」の一例に相当する。パーソナルコンピューター２００は、パーソナルコンピューター２０１、パーソナルコンピューター２０２及びパーソナルコンピューター２０３を含む。パーソナルコンピューター２０１、パーソナルコンピューター２０２及びパーソナルコンピューター２０３は、実質的に同一の構成を有するため、以下の説明においてパーソナルコンピューター２００と総称する場合がある。
【００１４】
ネットワーク３００は、例えば、インターネットである。ネットワーク３００は、インターネットに限定されない。ネットワーク３００が、ＬＡＮ（Ｌｏｃａｌ  Ａｒｅａ  Ｎｅｔｗｏｒｋ）である形態でもよいし、ネットワーク３００が、ＷＡＮ（Ｗｉｄｅ  Ａｒｅａ  Ｎｅｔｗｏｒｋ）である形態でもよい。
【００１５】
以上、図１を参照して説明したように、「端末装置」がパーソナルコンピューター２００であるが、本発明はこれに限定されない。「端末装置」は、画像形成装置１００と通信可能に接続されていればよい。「端末装置」は、例えば、スマートフォンでもよいし、タブレット端末装置でもよい。
【００１６】
次に、図１及び図２を参照して、本実施形態に係る画像形成装置１００の構成について説明する。図２は、画像形成装置１００の構成を示す図である。画像形成装置１００は、カラー複合機である。画像形成装置１００は、原稿Ｒに形成された画像を読み取ると共に、トナーを用いて用紙Ｐに画像を形成する。
【００１７】
図２に示すように、画像形成装置１００は、画像形成ユニット１、画像読取ユニット２、原稿搬送ユニット３、操作表示部４、及び制御部５を備える。画像形成ユニット１は、用紙Ｐに画像を形成する。画像読取ユニット２は、原稿Ｒに形成された画像を読み取り、画像情報を生成する。原稿搬送ユニット３は、原稿Ｒを画像読取ユニット２に搬送する。制御部５は、画像形成装置１００の動作を制御する。画像読取ユニット２、操作表示部４及び制御部５は、「画像読取装置」の一部を構成する。
【００１８】
画像形成ユニット１は、給送部１２、搬送部Ｌ、トナー供給部１３、形成実行部１４、定着部１６及び排出部１７を備える。形成実行部１４は、転写部１５を含む。
【００１９】
給送部１２は、用紙Ｐを搬送部Ｌへ供給する。搬送部Ｌは、用紙Ｐを転写部１５及び定着部１６を経由して排出部１７まで搬送する。用紙Ｐは、「記録媒体」の一例に相当する。
【００２０】
トナー供給部１３は、形成実行部１４にトナーを供給する。形成実行部１４は、用紙Ｐに画像を形成する。
【００２１】
転写部１５は、中間転写ベルト１５４を備える。形成実行部１４が、中間転写ベルト１５４上にシアン色、マゼンタ色、イエロー色、及び黒色のトナー像を転写する。複数色のトナー像が中間転写ベルト１５４上で重畳され、中間転写ベルト１５４上に画像が形成される。転写部１５は、中間転写ベルト１５４上に形成された画像を、用紙Ｐ上に転写する。その結果、用紙Ｐに画像が形成される。
【００２２】
定着部１６は、用紙Ｐを加熱及び加圧し、用紙Ｐに形成された画像を用紙Ｐに定着する。排出部１７は、用紙Ｐを画像形成装置１００の外部へ排出する。
【００２３】
画像読取ユニット２は、画像読取部２１を備える。画像読取部２１は、ＬＥＤ（Ｌｉｇｈｔ  Ｅｍｉｔｔｉｎｇ  Ｄｉｏｄｅ）、コンタクトガラス、結像レンズ及びイメージセンサーを備え、これらの各部材が一体化されたＣＩＳ（Ｃｏｎｔａｃｔ  Ｉｍａｇｅ  Ｓｅｎｓｏｒ）ユニットである。
【００２４】
操作表示部４は、ユーザーからの操作を受け付ける。操作表示部４は、タッチパネル４１を備える。タッチパネル４１は、例えば、ＬＣＤ（Ｌｉｑｕｉｄ  Ｃｒｙｓｔａｌ  Ｄｉｓｐｌａｙ）を備え、種々の画像を表示する。また、タッチパネル４１は、タッチセンサーを備え、ユーザーからの操作を受け付ける。
【００２５】
次に、図１〜図３を参照して、本発明の実施形態に係る制御部５の構成について説明する。図３は、制御部５の構成を示す図である。
【００２６】
図３に示すように、制御部５は、プロセッサー５Ａ及び記憶部５Ｂを備える。プロセッサー５Ａは、例えばＣＰＵ（Ｃｅｎｔｒａｌ  Ｐｒｏｃｅｓｓｉｎｇ  Ｕｎｉｔ）を備える。記憶部５Ｂは、半導体メモリーのようなメモリーを備え、ＨＤＤ（Ｈａｒｄ  Ｄｉｓｋ  Ｄｒｉｖｅ）を備えてもよい。記憶部５Ｂは、制御プログラムを記憶している。
【００２７】
また、画像形成装置１００は、通信部６を更に備える。通信部６は、パーソナルコンピューター２００との間で種々の情報を通信する。通信部６は、「画像読取装置」の一部を構成する。
【００２８】
次に、図１〜図４を参照して、制御部５の詳細な構成について説明する。図４は、制御部５の詳細な構成を示す図である。図４に示すように、プロセッサー５Ａは、読取部５０１、記憶実行部５０２、決定部５０３、受信部５０４、送信部５０５及び消去部５０６を備える。具体的には、プロセッサー５Ａは、制御プログラムを実行することによって、読取部５０１、記憶実行部５０２、決定部５０３、受信部５０４、送信部５０５及び消去部５０６として機能する。
【００２９】
読取部５０１は、原稿Ｒに形成された画像を読み取り、第１画像情報ＭＪ１を生成する。具体的には、読取部５０１は、画像読取ユニット２を介して、原稿Ｒに形成された画像を読み取り、第１画像情報ＭＪ１を生成する。
【００３０】
記憶実行部５０２は、第１画像情報ＭＪ１を記憶部５Ｂに記憶する。
【００３１】
決定部５０３は、第１画像情報ＭＪ１を識別する識別情報を決定する。具体的には、決定部５０３は、識別情報として「送信要求コードＤＣ」を示す情報を決定する。また、決定部５０３は、送信要求コードＤＣをタッチパネル４１に表示する。送信要求コードＤＣは、パーソナルコンピューター２００が画像形成装置１００に対して第１画像情報ＭＪ１を送信する旨の要求をする場合に、パーソナルコンピューター２００から画像形成装置１００に送信される。
【００３２】
決定部５０３は、送信可能回数ＳＮ及び保持期間ＰＨを更に決定する。具体的には、決定部５０３は、ユーザーによるタッチパネル４１の操作に基づいて、送信可能回数ＳＮ及び保持期間ＰＨを更に決定する。送信可能回数ＳＮは、第１画像情報ＭＪ１を送信可能な最大回数を示す。保持期間ＰＨは、第１画像情報ＭＪ１を記憶部５Ｂに記憶している最長期間を示す。
【００３３】
受信部５０４は、パーソナルコンピューター２００から送信要求コードＤＣを受信する。
【００３４】
送信部５０５は、受信部５０４がパーソナルコンピューター２００から送信要求コードＤＣを受信した場合に、送信要求コードＤＣに対応する第１画像情報ＭＪ１をパーソナルコンピューター２００に送信する。例えば、送信部５０５は、受信部５０４がパーソナルコンピューター２０１から送信要求コードＤＣを受信した場合に、送信要求コードＤＣに対応する第１画像情報ＭＪ１をパーソナルコンピューター２０１に送信する。また、例えば、送信部５０５は、受信部５０４がパーソナルコンピューター２０２から送信要求コードＤＣを受信した場合に、送信要求コードＤＣに対応する第１画像情報ＭＪ１をパーソナルコンピューター２０２に送信する。
【００３５】
消去部５０６は、第１画像情報ＭＪ１を記憶部５Ｂから消去する。具体的には、第１画像情報ＭＪ１をパーソナルコンピューター２００に送信した回数が送信可能回数ＳＮに到達した場合に、消去部５０６は第１画像情報ＭＪ１を記憶部５Ｂから消去する。また、第１画像情報ＭＪ１を記憶部５Ｂに記憶している期間が保持期間ＰＨに到達した場合に、消去部５０６は第１画像情報ＭＪ１を記憶部５Ｂから消去する。
【００３６】
以上、図１〜図４を参照して説明したように、本発明の実施形態では、受信部５０４が送信要求コードＤＣをパーソナルコンピューター２００から受信した場合に、送信部５０５が第１画像情報ＭＪ１をパーソナルコンピューター２００に送信する。よって、パーソナルコンピューター２００がそのユーザーにとって不要な情報を受信することがない。したがって、ユーザーの利便性を向上できる。
【００３７】
また、パーソナルコンピューター２００に送信した回数が送信可能回数ＳＮに到達した場合に、消去部５０６が第１画像情報ＭＪ１を記憶部５Ｂから消去する。したがって、記憶部５Ｂの空き領域を確保できる。
【００３８】
更に、第１画像情報ＭＪ１を記憶部５Ｂに記憶している期間が保持期間ＰＨに到達した場合に、消去部５０６が第１画像情報ＭＪ１を記憶部５Ｂから消去する。したがって、記憶部５Ｂの空き領域を更に確保できる。
【００３９】
次に、図１〜図５を参照して、決定部５０３の処理について更に説明する。図５は、送信要求コード設定画面６００を示す画面図である。図５（ａ）は、送信要求コードＤＣを制御部５が設定する場合の送信要求コード設定画面６００を示す画面図である。図５（ｂ）は、送信要求コードＤＣをユーザーが設定する場合の送信要求コード設定画面６００を示す画面図である。送信要求コード設定画面６００は、プロセッサー５Ａによってタッチパネル４１に表示される。なお、制御部５は、例えば、ユーザーからのタッチパネル４１の操作に基づいて、送信要求コードＤＣを制御部５が設定するか、又は送信要求コードＤＣをユーザーが設定するかを決定する。
【００４０】
図５（ａ）及び図５（ｂ）に示すように、送信要求コード設定画面６００には、第１表示部６０１、第２表示部６０２、決定ボタン６０３及びキャンセルボタン６０４が表示されている。図５（ａ）では、制御部５が送信要求コードＤＣを設定するため、第２表示部６０２が使用不可にされている。第２表示部６０２が使用不可であることを、第２表示部６０２に網掛けを付して示している。
【００４１】
第１表示部６０１は、読取部５０１が第１画像情報ＭＪ１を生成した場合に、決定部５０３が設定した送信要求コードＤＣを表示する。送信要求コードＤＣは、第１画像情報ＭＪ１に対応する。例えば、第１表示部６０１には、送信要求コードＤＣとして、「ＡＢＣＤ」の４つのアルファベットが表示されている。
【００４２】
決定ボタン６０３は、第１表示部６０１に表示された送信要求コードＤＣに決定する場合に、ユーザーによってタッチされる。ユーザーが決定ボタン６０３をタッチした場合には、決定部５０３は、第１画像情報ＭＪ１に対応する送信要求コードＤＣを、第１表示部６０１に表示された送信要求コードＤＣに決定する。
【００４３】
キャンセルボタン６０４は、第１表示部６０１に表示された送信要求コードＤＣをキャンセルする場合に、ユーザーによってタッチされる。ユーザーがキャンセルボタン６０４をタッチした場合には、決定部５０３は、第１表示部６０１に表示された送信要求コードＤＣとは別の送信要求コードＤＣを設定し、別の送信要求コードＤＣをプロセッサー５Ａが第１表示部６０１に表示する。
【００４４】
次に、図５（ｂ）について説明する。図５（ｂ）では、ユーザーが送信要求コードＤＣを設定するため、第１表示部６０１が使用不可にされている。第１表示部６０１が使用不可であることを、第１表示部６０１に網掛けを付して示している。
【００４５】
第２表示部６０２は、読取部５０１が第１画像情報ＭＪ１を生成した場合に、ユーザーによって入力された送信要求コードＤＣを表示する。送信要求コードＤＣは、第１画像情報ＭＪ１に対応する。例えば、ユーザーは、タッチパネル４１に表示されたソフトウェアキーボードを介して、送信要求コードＤＣを入力する。具体的には、第２表示部６０２には、送信要求コードＤＣとして、「ＳＴＵＶ」の４つのアルファベットが表示されている。
【００４６】
決定ボタン６０３は、第２表示部６０２に表示された送信要求コードＤＣに決定する場合に、ユーザーによってタッチされる。ユーザーが決定ボタン６０３をタッチした場合には、決定部５０３は、第１画像情報ＭＪ１に対応する送信要求コードＤＣを、第１表示部６０１に表示された送信要求コードＤＣに決定する。
【００４７】
ただし、送信要求コードＤＣが、他の第１画像情報ＭＪ１の送信要求コードＤＣとして使用されている場合には、プロセッサー５Ａがエラーメッセージをタッチパネル４１に表示し、プロセッサー５Ａが送信要求コードＤＣを第１表示部６０１から消去する。エラーメッセージは、例えば、「入力された送信要求コードは、別の画像情報の送信要求コードとして使用されています。別の送信要求コードを入力して下さい。」とのメッセージである。
【００４８】
キャンセルボタン６０４は、第２表示部６０２に表示された送信要求コードＤＣをキャンセルする場合に、ユーザーによってタッチされる。ユーザーがキャンセルボタン６０４をタッチした場合には、決定部５０３は、第２表示部６０２に表示された送信要求コードＤＣをキャンセルし、プロセッサー５Ａが送信要求コードＤＣを第２表示部６０２から消去する。
【００４９】
以上、図１〜図５を参照して説明したように、本発明の実施形態では、ユーザーは、送信要求コードＤＣを制御部５が設定するか、又はユーザーが設定するかを選択できる。したがって、ユーザーの利便性を更に向上できる。
【００５０】
次に、図１〜図６を参照して、決定部５０３の処理について更に説明する。図６は、回数期間設定画面６５０を示す画面図である。回数期間設定画面６５０は、プロセッサー５Ａによってタッチパネル４１に表示される。また、回数期間設定画面６５０は、送信可能回数ＳＮ及び保持期間ＰＨをユーザーが入力する画面である。
【００５１】
図６に示すように、回数期間設定画面６５０には、送信可能回数入力部６５１、保持期間入力部６５２、決定ボタン６５３及びキャンセルボタン６５４が表示されている。
【００５２】
送信可能回数入力部６５１には、ユーザーが送信可能回数ＳＮを入力する。具体的には、ユーザーは、操作表示部４に配置されたテンキーを介して、送信可能回数ＳＮを入力する。例えば、送信可能回数ＳＮは「１０回」と入力されている。ユーザーは、例えば、第１画像情報ＭＪ１の送信先の個数に基づいて送信可能回数ＳＮを入力する。例えば、送信先が１０個である場合には、ユーザーは、送信可能回数ＳＮとして「１０回」を入力する。プロセッサー５Ａは、入力された送信可能回数ＳＮを送信可能回数入力部６５１に表示する。
【００５３】
保持期間入力部６５２には、ユーザーが保持期間ＰＨを入力する。具体的には、ユーザーは、操作表示部４に配置されたテンキーを介して、保持期間ＰＨを入力する。例えば、保持期間ＰＨは「６０ｍｉｎ」と入力されている。ユーザーは、例えば、第１画像情報ＭＪ１の秘匿性の程度に応じて、保持期間ＰＨを入力する。例えば、ユーザーは、第１画像情報ＭＪ１の秘匿性が高い程、短い保持期間ＰＨを入力する。プロセッサー５Ａは、入力された保持期間ＰＨを保持期間入力部６５２に表示する。
【００５４】
決定ボタン６５３は、送信可能回数ＳＮを送信可能回数入力部６５１に入力された回数に決定し、保持期間ＰＨを保持期間入力部６５２に入力された期間に決定する場合に、ユーザーによってタッチされる。ユーザーが決定ボタン６５３をタッチした場合には、決定部５０３は、送信可能回数ＳＮを、送信可能回数入力部６５１に入力された回数に決定し、保持期間ＰＨを保持期間入力部６５２に入力された期間に決定する。
【００５５】
キャンセルボタン６５４は、送信可能回数入力部６５１に入力された回数、及び保持期間入力部６５２に入力された期間の少なくとも一方をキャンセルする場合に、ユーザーによってタッチされる。ユーザーがキャンセルボタン６５４をタッチした場合には、決定部５０３は、送信可能回数入力部６５１に入力された回数、及び保持期間入力部６５２に入力された期間をキャンセルする。そして、プロセッサー５Ａは、送信可能回数入力部６５１に表示された送信可能回数ＳＮ、及び保持期間入力部６５２に表示された保持期間ＰＨを消去する。
【００５６】
以上、図１〜図６を参照して説明したように、本発明の実施形態では、タッチパネル４１に表示された回数期間設定画面６５０を介して、ユーザーが送信可能回数ＳＮ及び保持期間ＰＨを入力するため、ユーザーの利便性を更に向上できる。
【００５７】
次に、図１〜図７を参照して、ユーザーがパーソナルコンピューター２００から画像形成装置１００に対して第１画像情報ＭＪ１を送信する旨の要求をする場合の処理について説明する。図７は、送信要求画面８００を示す画面図である。送信要求画面８００は、ユーザーがパーソナルコンピューター２００に対して所定の操作を行った場合に、パーソナルコンピューター２００のディスプレーに表示される。
【００５８】
図７に示すように、送信要求画面８００には、装置管理番号入力部８０１、送信要求コード入力部８０２、決定ボタン８０３及びキャンセルボタン８０４が表示されている。
【００５９】
装置管理番号入力部８０１には、ユーザーが第１画像情報ＭＪ１を送信する旨の要求をする画像形成装置１００の管理番号を入力する。管理番号は、画像形成装置１００を識別する番号である。例えば、画像形成装置１０１の管理番号は「１１」であり、画像形成装置１０２の管理番号は「１２」であり、画像形成装置１０３の管理番号は「１３」である。図７に示すように、装置管理番号入力部８０１には「１１」が入力されており、ユーザーは画像形成装置１０１に対して第１画像情報ＭＪ１を送信する旨の要求をしている。
【００６０】
送信要求コード入力部８０２には、送信要求コードＤＣを入力する。送信要求コードＤＣは、ユーザーが送信を要求する第１画像情報ＭＪ１に対応する。
【００６１】
決定ボタン８０３は、管理番号を装置管理番号入力部８０１に入力された番号に決定し、送信要求コードＤＣを送信要求コード入力部８０２に入力されたコードに決定する場合に、ユーザーによってクリックされる。
【００６２】
キャンセルボタン８０４は、装置管理番号入力部８０１に入力された番号、及び送信要求コード入力部８０２に入力されたコードの少なくとも一方をキャンセルする場合に、ユーザーによってクリックされる。
【００６３】
以上、図１〜図７を参照して説明したように、本発明の実施形態では、管理番号で画像形成装置１００を識別するため、複数の画像形成装置１００から、所望する第１画像情報ＭＪ１を記憶している画像形成装置１００（例えば、画像形成装置１０１）を容易に決定できる。
【００６４】
次に、図１〜図８を参照して、制御部５の更に詳細な構成について説明する。図８は、制御部５の更に詳細な構成を示す図である。図８に示すように、プロセッサー５Ａは、変更部５０７、検出部５０８、第１判定部５０９、表示部５１０、第２判定部５１１及び規制部５１２を更に備える。具体的には、プロセッサー５Ａは、制御プログラムを実行することによって、変更部５０７、検出部５０８、第１判定部５０９、表示部５１０、第２判定部５１１及び規制部５１２として更に機能する。
【００６５】
変更部５０７は、決定部５０３が決定した送信可能回数ＳＮ及び保持期間ＰＨを変更する。例えば、変更部５０７は、ユーザーによるタッチパネル４１の操作に基づいて、送信可能回数ＳＮ及び保持期間ＰＨを変更する。
【００６６】
検出部５０８は、記憶実行部５０２が第１画像情報ＭＪ１を記憶部５Ｂに記憶する前に、第１画像情報ＭＪ１と、記憶部５Ｂに記憶されている第２画像情報ＭＪ２との重複度ＤＰを検出する。記憶部５Ｂが複数の第２画像情報ＭＪ２を記憶している場合には、検出部５０８は、第１画像情報ＭＪ１と、複数の第２画像情報ＭＪ２のそれぞれとの重複度ＤＰを検出する。
【００６７】
重複度ＤＰは、第１画像情報ＭＪ１と第２画像情報ＭＪ２とが一致している程度を示す。例えば、第１画像情報ＭＪ１と第２画像情報ＭＪ２とが完全に一致している場合には、重複度ＤＰは１００％である。また、例えば、第１画像情報ＭＪ１と第２画像情報ＭＪ２とが全く一致していない場合には、重複度ＤＰは零（０）％である。
【００６８】
第１判定部５０９は、重複度ＤＰが閾値ＤＰＡ以上であるか否かを判定する。閾値ＤＰＡは、例えば８０％である。
【００６９】
表示部５１０は、重複度ＤＰが閾値ＤＰＡ以上であると第１判定部５０９が判定した場合に、第２画像情報ＭＪ２を表示する。
【００７０】
第２判定部５１１は、重複度ＤＰが閾値ＤＰＡ以上であると第１判定部５０９が判定した場合に、第１画像情報ＭＪ１を記憶部５Ｂに記憶するか否かを判定する。例えば、第２判定部５１１は、ユーザーによるタッチパネル４１の操作に基づいて、第１画像情報ＭＪ１を記憶部５Ｂに記憶するか否かを判定する。
【００７１】
規制部５１２は、変更部５０７及び表示部５１０の動作を規制する。例えば、規制部５１２は、ユーザーによるタッチパネル４１の操作に基づいて、変更部５０７及び表示部５１０の動作を規制する。
【００７２】
以上、図１〜図８を参照して説明したように、本発明の実施形態では、変更部５０７が、ユーザーによるタッチパネル４１の操作に基づいて、決定部５０３が決定した送信可能回数ＳＮを変更する。ユーザーは送信可能回数ＳＮを所望する回数に変更できる。したがって、ユーザーの利便性を更に向上できる。
【００７３】
また、変更部５０７が、ユーザーによるタッチパネル４１の操作に基づいて、決定部５０３が決定した保持期間ＰＨを変更する。ユーザーは保持期間ＰＨを所望する期間に変更できる。したがって、ユーザーの利便性を更に向上できる。
【００７４】
更に、重複度ＤＰが閾値ＤＰＡ以上であると第１判定部５０９が判定した場合に、第２判定部５１１が、第１画像情報ＭＪ１を記憶部５Ｂに記憶するか否かを判定する。よって、第１画像情報ＭＪ１を記憶部５Ｂに記憶しないと判定した場合には、第１画像情報ＭＪ１は記憶部５Ｂに記憶されない。したがって、記憶部５Ｂの空き領域を更に確保できる。
【００７５】
次に、図１〜図９を参照して、変更部５０７の処理について更に説明する。図９は、回数期間変更画面９００を示す画面図である。回数期間変更画面９００は、例えば、制御部５がタッチパネル４１に表示する。
【００７６】
図９に示すように、回数期間変更画面９００には、送信回数変更部９１０、保持期間変更部９２０、決定ボタン９０３及びキャンセルボタン９０４が表示されている。
【００７７】
送信回数変更部９１０は、残回数表示部９１１と、送信可能回数入力部９１２とを含む。残回数表示部９１１には、制御部５が残送信可能回数ＲＳを表示する。残送信可能回数ＲＳは、決定部５０３が決定した送信可能回数ＳＮのうち、第１画像情報ＭＪ１を今後送信できる最大の回数を示す。例えば、送信可能回数ＳＮが１０回であって、今までに９回送信された場合には、残送信可能回数ＲＳは「１回」（＝１０回−９回）と表示される。
【００７８】
送信可能回数入力部９１２には、ユーザーによるタッチパネル４１の操作に基づいて、変更後の送信可能回数ＳＮＡが入力される。例えば、変更後の送信可能回数ＳＮＡは、「１０回」と入力されている。
【００７９】
保持期間変更部９２０は、残期間表示部９２１と、保持期間入力部９２２とを含む。残期間表示部９２１には、制御部５が残期間ＲＰを表示する。残期間ＲＰは、決定部５０３が決定した保持期間ＰＨのうち、第１画像情報ＭＪ１を今後送信できる最長の期間を示す。例えば、保持期間ＰＨが６０分であって、今までに５０分が経過した場合には、残期間ＲＰは「１０ｍｉｎ」（＝６０分−５０分）と表示される。
【００８０】
保持期間入力部９２２は、ユーザーによるタッチパネル４１の操作に基づいて、変更後の保持期間ＰＨＡが入力される。例えば、変更後の保持期間ＰＨＡは、「６０ｍｉｎ」と入力されている。
【００８１】
決定ボタン９０３は、送信可能回数ＳＮＡ及び保持期間ＰＨＡに変更する場合に、ユーザーによってタッチされる。ユーザーが決定ボタン９０３をタッチすると、変更部５０７は、送信可能回数ＳＮを送信可能回数ＳＮＡに変更し、保持期間ＰＨを保持期間ＰＨＡに変更する。
【００８２】
キャンセルボタン９０４は、送信可能回数ＳＮＡ及び保持期間ＰＨＡの少なくとも一方をキャンセルする場合にユーザーによってタッチされる。ユーザーがキャンセルボタン９０４をタッチすると、制御部５は、送信可能回数ＳＮＡ及び保持期間ＰＨＡをキャンセルする。
【００８３】
以上、図１〜図９を参照して説明したように、本発明の実施形態では、変更部５０７が、回数期間変更画面９００を用いて送信可能回数ＳＮ及び保持期間ＰＨを変更するため、ユーザーは容易に送信可能回数ＳＮ及び保持期間ＰＨを変更できる。具体的には、ユーザーは残送信可能回数ＲＳを参照して変更後の送信可能回数ＳＮＡを決定できる。また、ユーザーは残期間ＲＰを参照して変更後の保持期間ＰＨＡを決定できる。
【００８４】
本発明の実施形態では、制御部５がタッチパネル４１に回数期間変更画面９００を表示するが、本発明はこれに限定されない。回数期間変更画面９００が、画像形成装置１００及びパーソナルコンピューター２００の少なくとも一方に表示されればよい。例えば、回数期間変更画面９００が、パーソナルコンピューター２００のディスプレーに表示される形態でもよい。この形態では、ユーザーは画像形成装置１００を操作する必要がないため、ユーザーの利便性を更に向上できる。
【００８５】
次に、図１〜図１１を参照して、制御部５の処理について説明する。図１０及び図１１は、制御部５の処理の一例を示すフローチャートである。
まず、図１０のステップＳ１０１において、読取部５０１が原稿Ｒに形成された画像を読み取り、第１画像情報ＭＪ１を生成する。
次に、ステップＳ１０３において、検出部５０８が、第１画像情報ＭＪ１と第２画像情報ＭＪ２との重複度ＤＰを検出する。なお、第２画像情報ＭＪ２は、記憶部５Ｂに記憶されている。
次に、ステップＳ１０５において、制御部５は、規制部５１２が第２画像情報ＭＪ２の表示部５１０による表示を規制しているか否かを判定する。
第２画像情報ＭＪ２の表示部５１０による表示を規制していると制御部５が判定した場合（ステップＳ１０５でＹＥＳ）には、処理が図１１のステップＳ１１５に進む。第２画像情報ＭＪ２の表示部５１０による表示を規制していないと制御部５が判定した場合（ステップＳ１０５でＮＯ）には、処理がステップＳ１０７に進む。
【００８６】
そして、ステップＳ１０７において、第１判定部５０９が、重複度ＤＰが閾値ＤＰＡ以上であるか否かを判定する。
重複度ＤＰが閾値ＤＰＡ以上ではないと第１判定部５０９が判定した場合（ステップＳ１０７でＮＯ）には、処理が図１１のステップＳ１１５に進む。重複度ＤＰが閾値ＤＰＡ以上であると第１判定部５０９が判定した場合（ステップＳ１０７でＹＥＳ）には、処理がステップＳ１０９に進む。
そして、ステップＳ１０９において、表示部５１０が、第２画像情報ＭＪ２をタッチパネル４１に表示する。
次に、ステップＳ１１１において、第２判定部５１１が、ユーザーによるタッチパネル４１の操作に基づいて、第１画像情報ＭＪ１を記憶部５Ｂに記憶するか否かを判定する。
第１画像情報ＭＪ１を記憶部５Ｂに記憶すると第２判定部５１１が判定した場合（ステップＳ１１１でＹＥＳ）には、処理が図１１のステップＳ１１５に進む。第１画像情報ＭＪ１を記憶部５Ｂに記憶しないと第２判定部５１１が判定した場合（ステップＳ１１１でＮＯ）には、処理がステップＳ１１３に進む。
そして、ステップＳ１１３において、変更部５０７が、決定部５０３が決定した送信可能回数ＳＮ及び保持期間ＰＨを変更し、処理が終了する。
【００８７】
ステップＳ１０５でＹＥＳの場合、ステップＳ１０７でＮＯの場合、又はステップＳ１１１でＹＥＳの場合には、図１１に示すように、ステップＳ１１５において、記憶実行部５０２が、第１画像情報ＭＪ１を記憶部５Ｂに記憶する。記憶部５Ｂに記憶されると、第１画像情報ＭＪ１は、第２画像情報ＭＪ２として扱われる。
次に、ステップＳ１１７において、決定部５０３は、送信要求コードＤＣを決定し、タッチパネル４１に表示する。
次に、ステップＳ１１９において、決定部５０３は、送信可能回数ＳＮ及び保持期間ＰＨを決定する。また、消去部５０６が残送信可能回数ＲＳを送信可能回数ＳＮに設定する。換言すれば、消去部５０６が、残送信可能回数ＲＳの初期値を送信可能回数ＳＮに設定する。
次に、ステップＳ１２１において、規制部５１２は、ステップＳ１１５において記憶部５Ｂに記憶した第１画像情報ＭＪ１について、表示及び変更を規制するか否かを決定する。具体的には、規制部５１２は、第１画像情報ＭＪ１に対する変更部５０７及び表示部５１０の動作を規制するか否かを決定する。更に具体的には、規制部５１２は、ユーザーによるタッチパネル４１の操作に基づいて、変更部５０７による第１画像情報ＭＪ１の表示と、変更部５０７による送信可能回数ＳＮ及び保持期間ＰＨの変更とを規制するか否かを決定する。
【００８８】
次に、ステップＳ１２３において、受信部５０４が送信要求コードＤＣをパーソナルコンピューター２００から受信したか否かを判定する。
送信要求コードＤＣを受信していないと受信部５０４が判定した場合（ステップＳ１２３でＮＯ）には、処理がステップＳ１３１に進む。送信要求コードＤＣを受信したと受信部５０４が判定した場合（ステップＳ１２３でＹＥＳ）には、処理がステップＳ１２５に進む。
そして、ステップＳ１２５において、送信部５０５が、送信要求コードＤＣに対応する第２画像情報ＭＪ２をパーソナルコンピューター２００に送信する。なお、送信要求コードＤＣに対応する第１画像情報ＭＪ１は、ステップＳ１１５において記憶部５Ｂに記憶されているため、第２画像情報ＭＪ２として扱われる。
次に、ステップＳ１２７において、消去部５０６が、残送信可能回数ＲＳを「１」だけディクリメントする。
【００８９】
次に、ステップＳ１２９において、消去部５０６が、残送信可能回数ＲＳが零（０）以下であるか否かを判定する。
残送信可能回数ＲＳが零以下であると消去部５０６が判定した場合（ステップＳ１２９でＹＥＳ）には、処理がステップＳ１３３に進む。残送信可能回数ＲＳが零以下ではないと消去部５０６が判定した場合（ステップＳ１２９でＮＯ）には、処理がステップＳ１３１に進む。
そして、ステップＳ１３１において、消去部５０６が、保持期間ＰＨが経過したか否かを判定する。
保持期間ＰＨが経過していないと消去部５０６が判定した場合（ステップＳ１３１でＮＯ）には、処理がステップＳ１２３に戻る。保持期間ＰＨが経過したと消去部５０６が判定した場合（ステップＳ１３１でＹＥＳ）には、処理がステップＳ１３３に進む。
そして、ステップＳ１３３において、消去部５０６が、第２画像情報ＭＪ２を消去して、処理が終了する。なお、第２画像情報ＭＪ２は、ステップＳ１１５で記憶部５Ｂに記憶した第１画像情報ＭＪ１に対応する。
【００９０】
以上、図１〜図１１を参照して説明したように、本発明の実施形態では、重複度ＤＰが閾値ＤＰＡ以上であると第１判定部５０９が判定した場合に、表示部５１０は、第２画像情報ＭＪ２を表示する。そして、第２判定部５１１は、ユーザーからの指示に基づき、第１画像情報ＭＪ１を記憶部５Ｂに記憶するか否かを判定する。よって、ユーザーは、表示された第２画像情報ＭＪ２を確認して、第１画像情報ＭＪ１を記憶部５Ｂに記憶するか否かを判定できる。したがって、第１画像情報ＭＪ１を記憶部５Ｂに記憶するか否かを適切に判定できる。
【００９１】
また、第１画像情報ＭＪ１を記憶部５Ｂに記憶しないと第２判定部５１１が判定した場合に、変更部５０７は、ユーザーの指示に基づいて、送信可能回数ＳＮ及び保持期間ＰＨを変更する。よって、ユーザーは送信可能回数ＳＮ及び保持期間ＰＨを所望する値に変更できる。したがって、ユーザーの利便性を向上できる。
【００９２】
本発明の実施形態では、第２判定部５１１が、ユーザーからの指示に基づき第１画像情報ＭＪ１を記憶部５Ｂに記憶するか否かを判定するが、本発明はこれに限定されない。第２判定部５１１が、重複度ＤＰが閾値ＤＰＡ以上であると第１判定部５０９が判定した場合に、第１画像情報ＭＪ１を記憶部５Ｂに記憶するか否かを判定すればよい。例えば、第２判定部５１１が、予め設定された基準に基づいて、第１画像情報ＭＪ１を記憶部５Ｂに記憶するか否かを判定する形態でもよい。具体的には、第２判定部５１１が、重複度ＤＰが閾値ＤＰＡより大きい所定値以上である場合には、第１画像情報ＭＪ１を記憶部５Ｂに記憶し、重複度ＤＰが所定値未満である場合には、第１画像情報ＭＪ１を記憶部５Ｂに記憶しない形態でもよい。所定値は、例えば９０％である。この形態では、ユーザーの負荷が軽減される。
【００９３】
次に、図１〜図１２を参照して、制御部５の「回数期間変更処理」について説明する。図１２は、制御部５の「回数期間変更処理」の一例を示すフローチャートである。「回数期間変更処理」は、送信可能回数ＳＮ及び保持期間ＰＨの少なくとも一方を変更する処理を示す。なお、以下の説明においては、パーソナルコンピューター２００から送信可能回数ＳＮ及び保持期間ＰＨの少なくとも一方を変更する場合について説明する。
【００９４】
図１２に示すように、まず、ステップＳ２０１において、受信部５０４がパーソナルコンピューター２００から送信要求コードＤＣを受信したか否かを判定する。
送信要求コードＤＣを受信していないと受信部５０４が判定した場合（ステップＳ２０１でＮＯ）には、処理が待機状態になる。送信要求コードＤＣを受信したと受信部５０４が判定した場合（ステップＳ２０１でＹＥＳ）には、処理がステップＳ２０３に進む。
そして、ステップＳ２０３において、変更部５０７が、ステップＳ２０１で受信した送信要求コードＤＣに対応する第２画像情報ＭＪ２が記憶部５Ｂに記憶されているか否かを判定する。
送信要求コードＤＣに対応する第２画像情報ＭＪ２が記憶部５Ｂに記憶されていないと変更部５０７が判定した場合（ステップＳ２０３でＮＯ）には、処理が終了する。送信要求コードＤＣに対応する第２画像情報ＭＪ２が記憶部５Ｂに記憶されていると変更部５０７が判定した場合（ステップＳ２０３でＹＥＳ）には、処理がステップＳ２０５に進む。
そして、ステップＳ２０５において、制御部５が、ステップＳ２０１で受信した送信要求コードＤＣに対応する第２画像情報ＭＪ２の送信可能回数ＳＮ及び保持期間ＰＨの変更が規制部５１２によって規制されているか否かを判定する。
【００９５】
第２画像情報ＭＪ２の送信可能回数ＳＮ及び保持期間ＰＨの変更が規制部５１２によって規制されていると制御部５が判定した場合（ステップＳ２０５でＹＥＳ）には、処理が終了する。第２画像情報ＭＪ２の送信可能回数ＳＮ及び保持期間ＰＨの変更が規制部５１２によって規制されていないと制御部５が判定した場合（ステップＳ２０５でＮＯ）には、処理がステップＳ２０７に進む。
そして、ステップＳ２０７において、変更部５０７が、ステップＳ２０１で受信した送信要求コードＤＣに対応する第２画像情報ＭＪ２の残送信可能回数ＲＳ及び残期間ＲＰを取得する。
次に、ステップＳ２０９において、変更部５０７が、送信可能回数ＳＮを変更するか否かを判定する。具体的には、パーソナルコンピューター２００からの指示に基づいて、変更部５０７が、送信可能回数ＳＮを変更するか否かを判定する。
送信可能回数ＳＮを変更しないと変更部５０７が判定した場合（ステップＳ２０９でＮＯ）には、処理がステップＳ２１５に進む。送信可能回数ＳＮを変更すると変更部５０７が判定した場合（ステップＳ２０９でＹＥＳ）には、処理がステップＳ２１１に進む。
そして、ステップＳ２１１において、変更部５０７が、変更後の送信可能回数ＳＮＡをパーソナルコンピューター２００から受信する。
次に、ステップＳ２１３において、変更部５０７が、送信可能回数ＳＮをステップＳ２１１で受信した送信可能回数ＳＮＡに変更する。
【００９６】
次に、ステップＳ２１５において、変更部５０７が、保持期間ＰＨを変更するか否かを判定する。具体的には、パーソナルコンピューター２００からの指示に基づいて、変更部５０７が、保持期間ＰＨを変更するか否かを判定する。
保持期間ＰＨを変更しないと変更部５０７が判定した場合（ステップＳ２１５でＮＯ）には、処理が終了する。保持期間ＰＨを変更すると変更部５０７が判定した場合（ステップＳ２１５でＹＥＳ）には、処理がステップＳ２１７に進む。
そして、ステップＳ２１７において、変更部５０７が、変更後の保持期間ＰＨＡをパーソナルコンピューター２００から受信する。
次に、ステップＳ２１９において、変更部５０７が、保持期間ＰＨをステップＳ２１７で受信した保持期間ＰＨＡに変更し、処理が終了する。
【００９７】
以上、図１〜図１２を参照して説明したように、本発明の実施形態では、規制部５１２は、変更部５０７及び表示部５１０の動作を規制する。具体的には、規制部５１２は、ユーザーからの指示に基づいて、第２画像情報ＭＪ２に対する変更部５０７及び表示部５１０の動作を禁止する。よって、第２画像情報ＭＪ２の残送信可能回数ＲＳ及び保持期間ＰＨを変更することはできない。また、表示部５１０が第２画像情報ＭＪ２をタッチパネル４１に表示することはできない。したがって、他のユーザーによって第２画像情報ＭＪ２が見られる可能性を低減できる。その結果、第２画像情報ＭＪ２の秘匿性を向上できる。
【００９８】
図１〜図１２を参照して説明したように、本発明の実施形態では、規制部５１２は、変更部５０７及び表示部５１０の動作を規制したが、本発明はこれに限定されない。規制部５１２は、変更部５０７及び表示部５１０少なくとも一方の動作を規制すればよい。
【００９９】
例えば、規制部５１２が変更部５０７の動作を規制する場合には、第２画像情報ＭＪ２の送信可能回数ＳＮ及び保持期間ＰＨを変更することはできない。よって、第２画像情報ＭＪ２を取得することができない。その結果、第２画像情報ＭＪ２の秘匿性を向上できる。
【０１００】
また、例えば、規制部５１２が表示部５１０の動作を規制する場合には、第２画像情報ＭＪ２を表示することができない。その結果、第２画像情報ＭＪ２の秘匿性を向上できる。
【０１０１】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（４））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【０１０２】
（１）図１〜図３を参照して説明したように、画像読取装置が画像形成装置１００として構成されるが、本発明はこれに限定されない。画像読取装置が、少なくとも、画像読取ユニット２及び制御部５を備えていればよい。また、画像読取装置が、原稿搬送ユニット３を更に備える形態が好ましい。この形態では、原稿搬送ユニット３が搬送した原稿Ｒを画像読取ユニット２が読み取ることができる。更に、画像読取装置が、操作表示部４を備えることが好ましい。
【０１０３】
（２）図１〜図４を参照して説明したように、決定部５０３が送信要求コードＤＣを決定するが、本発明はこれに限定されない。決定部５０３が第１画像情報ＭＪ１を識別する識別情報を決定すればよい。識別情報は、文字情報に限定されない。識別情報は、例えば、記号情報でもよいし、図形情報でもよい。
【０１０４】
（３）図１〜図４を参照して説明したように、決定部５０３が送信可能回数ＳＮ及び保持期間ＰＨを決定するが、本発明はこれに限定されない。決定部５０３が送信可能回数ＳＮ及び保持期間ＰＨの少なくとも一方を決定する形態であればよい。例えば、決定部５０３が送信可能回数ＳＮのみを決定する形態でもよい。この形態では、処理が簡素化される。
【０１０５】
（４）図１〜図４を参照して説明したように、消去部５０６が送信可能回数ＳＮ及び保持期間ＰＨに基づいて第１画像情報ＭＪ１を記憶部５Ｂから消去するが、本発明はこれに限定されない。消去部５０６が送信可能回数ＳＮ及び保持期間ＰＨの少なくとも一方に基づいて第１画像情報ＭＪ１を記憶部５Ｂから消去する形態であればよい。例えば、消去部５０６が送信可能回数ＳＮのみに基づいて第１画像情報ＭＪ１を記憶部５Ｂから消去する形態でもよい。この形態では、処理が簡素化される。
【産業上の利用可能性】
【０１０６】
本発明は、画像読取装置、及び画像形成装置の分野に利用可能である。
【符号の説明】
【０１０７】
１００、１０１、１０２、１０３    画像形成装置
１    画像形成ユニット（画像形成部）
２    画像読取ユニット（画像読取装置の一部）
３    原稿搬送ユニット
４    操作表示部
４１    タッチパネル（画像読取装置の一部）
５    制御部（画像読取装置の一部）
５Ａ    プロセッサー
５０１    読取部
５０２    記憶実行部
５０３    決定部
５０４    受信部
５０５    送信部
５０６    消去部
５０７    変更部
５０８    検出部
５０９    第１判定部
５１０    表示部
５１１    第２判定部
５１２    規制部
５Ｂ    記憶部
６    通信部（画像読取装置の一部）
２００、２０１、２０２、２０３    パーソナルコンピューター
３００    ネットワーク
ＭＪ１    第１画像情報
ＭＪ２    第２画像情報
ＤＣ    送信要求コード（識別情報）
ＳＮ、ＳＮＡ    送信可能回数
ＰＨ、ＰＨＡ    保持期間
ＲＳ    残送信可能回数
ＲＰ    残期間
Ｒ    原稿
【図１】
2019012882.tif 000003
【図２】
2019012882.tif 000004
【図３】
2019012882.tif 000005
【図４】
2019012882.tif 000006
【図５】
2019012882.tif 000007
【図６】
2019012882.tif 000008
【図７】
2019012882.tif 000009
【図８】
2019012882.tif 000010
【図９】
2019012882.tif 000011
【図１０】
2019012882.tif 000012
【図１１】
2019012882.tif 000013
【図１２】
2019012882.tif 000014